(57)【要約】  上りリンクデータの繰り返しモードを通知する方法、上りリンクデータの繰り返しモードを確定する方法、および対応するユーザ装置と基地局が開示されている。前記上りリンクデータの繰り返しモードを通知する方法は、上りリンクデータの繰り返しモードとして、複数の繰り返しモードの中の１つを選択することと、選択された繰り返しモードを、前記上りリンクデータで明示的または暗黙的に基地局に通知することと、を含む。前記上りリンクデータの繰り返しモードを確定する方法は、上りリンクデータを受信することと、前記上りリンクデータに含まれる情報または前記上りリンクデータの送信方式に応じて、前記上りリンクデータの繰り返しモードを確定することとを含む。上記の方法により、ＵＥが選択した繰り返しモードを基地局に通知することで、基地局がフィードバック情報の送信タイミングを正確に確定することができる。
2019525670.tif 000002
【特許請求の範囲】
【請求項１】
複数の繰り返しモードの中の１つを上りリンクデータの繰り返しモードとして選択することと、
選択された繰り返しモードを前記上りリンクデータで明示的に基地局に送信することと、
を含む、上りリンクデータの繰り返しモードを通知する方法。
【請求項２】
前記繰り返しモードは、前記上りリンクデータの繰り返し回数を含む、請求項１に記載の方法。
【請求項３】
上りリンクデータを、選択された繰り返しモードに対応する周波数又は時間で基地局に送信することで、選択された繰り返しモードを前記上りリンクデータで暗黙的に基地局に通知する、請求項１又は請求項２に記載の方法。
【請求項４】
選択した繰り返しモードに対応するスクランブリング系列又はスケジューリング情報を利用して、前記上りリンクデータを生成し、前記上りリンクデータを基地局に送信することで、選択された繰り返しモードを前記上りリンクデータで暗黙的に基地局に通知する、請求項１又は請求項２に記載の方法。
【請求項５】
選択された繰り返しモードを指示する情報を含む上りリンクデータを生成し、前記上りリンクデータを基地局に送信することで、選択された繰り返しモードを前記上りリンクデータで明示的に基地局に通知する、請求項１又は請求項２に記載の方法。
【請求項６】
前記上りリンクデータを、選択された繰り返しモードを指示する情報を含む制御情報と多重化することで、選択された繰り返しモードを前記上りリンクデータで明示的に基地局に通知する、請求項１又は請求項２に記載の方法。
【請求項７】
上りリンクデータを受信することと、
前記上りリンクデータに含まれる情報又は前記上りリンクデータの送信方式に応じて、前記上りリンクデータの繰り返しモードを確定することと、
を含む、上りリンクデータの繰り返しモードを確定する方法。
【請求項８】
前記繰り返しモードは、前記上りリンクデータの繰り返し回数を含む、請求項７に記載の方法。
【請求項９】
前記上りリンクデータの送信方式は、前記上りリンクデータの送信周波数又は送信時間を含み、
前記上りリンクデータに含まれる情報又は前記上りリンクデータの送信方式に応じて、前記上りリンクデータの繰り返しモードを確定することは、
前記上りリンクデータの送信周波数又は送信時間に対応する繰り返しモードを前記上りリンクデータの繰り返しモードとして確定すること、を含む、請求項７又は請求項８に記載の方法。
【請求項１０】
前記上りリンクデータに含まれる情報又は前記上りリンクデータの送信方式に応じて、前記上りリンクデータの繰り返しモードを確定することは、
複数の繰り返しモードの中から繰り返しモードを１つ選択することと、
選択した繰り返しモードと、選択した繰り返しモードに対応するスクランブリング系列又はスケジューリング情報とを利用して、前記上りリンクデータを検出することと、
前記上りリンクデータの検出に成功すると、選択した繰り返しモードを前記上りリンクデータの繰り返しモードとして確定することと、
を含む、請求項７又は請求項８に記載の方法。
【請求項１１】
前記上りリンクデータに含まれる情報が、前記上りリンクデータの繰り返しモードを指示し、
前記上りリンクデータに含まれる情報又は前記上りリンクデータの送信方式に応じて、前記上りリンクデータの繰り返しモードを確定することは、
複数の繰り返しモードの中から繰り返しモードを１つ選択することと、
選択した繰り返しモードを利用して、前記上りリンクデータを検出することと、
前記上りリンクデータの検出に成功すると、前記上りリンクデータから前記情報を抽出して、前記情報が指示する繰り返しモードを前記上りリンクデータの繰り返しモードとして確定することと、
を含む、請求項７又は請求項８に記載の方法。
【請求項１２】
前記上りリンクデータに含まれる情報又は前記上りリンクデータの送信方式に応じて、前記上りリンクデータの繰り返しモードを確定することは、
複数の繰り返しモードの中から繰り返しモードを１つ選択することと、
選択した繰り返しモードを利用して、前記上りリンクデータと多重化された制御情報を検出することと、
前記制御情報の検出に成功すると、前記制御情報が指示する繰り返しモードを前記上りリンクデータの繰り返しモードとして確定することと、
を含む、請求項７又は請求項８に記載の方法。
【請求項１３】
複数の繰り返しモードの中の１つを上りリンクデータの繰り返しモードとして選択するように配置される選択部と、
選択された繰り返しモードを、前記上りリンクデータで明示的又は暗黙的に基地局に通知するように配置される通知部と、
を含む、ユーザ装置。
【請求項１４】
前記繰り返しモードは、前記上りリンクデータの繰り返し回数を含む、請求項１３に記載のユーザ装置。
【請求項１５】
前記通知部は、上りリンクデータを、選択された繰り返しモードに対応する周波数又は時間で基地局に送信することで、選択された繰り返しモードを前記上りリンクデータで暗黙的に基地局に通知するように配置される、請求項１３又は請求項１４に記載のユーザ装置。
【請求項１６】
前記通知部は、選択された繰り返しモードに対応するスクランブリング系列又はスケジューリング情報を利用して前記上りリンクデータを生成し、前記上りリンクデータを基地局に送信することで、選択された繰り返しモードを前記上りリンクデータで暗黙的に基地局に通知するように配置される、請求項１３又は請求項１４に記載のユーザ装置。
【請求項１７】
前記通知部は、選択された繰り返しモードを指示する情報を含む上りリンクデータを生成し、前記上りリンクデータを基地局に送信することで、選択された繰り返しモードを前記上りリンクデータで明示的に基地局に通知するように配置される、請求項１３又は請求項１４に記載のユーザ装置。
【請求項１８】
前記通知部は、前記上りリンクデータを、選択された繰り返しモードを指示する情報を含む制御情報と多重化して基地局に送信することで、選択された繰り返しモードを前記上りリンクデータで明示的に基地局に通知するように配置される、請求項１３又は請求項１４に記載のユーザ装置。
【請求項１９】
上りリンクデータを受信するように配置される受信部と、
前記上りリンクデータに含まれる情報又は前記上りリンクデータの送信方式に応じて、前記上りリンクデータの繰り返しモードを確定するように配置される確定部と、
を含む、基地局。
【請求項２０】
前記繰り返しモードは、前記上りリンクデータの繰り返し回数を含む、請求項１９に記載の基地局。
【請求項２１】
前記上りリンクデータの送信方式は、前記上りリンクデータの送信周波数又は送信時間を含み、
前記確定部は、前記上りリンクデータの送信周波数又は送信時間に対応する繰り返しモードを前記上りリンクデータの繰り返しモードとして確定するように配置される、請求項１９又は請求項２０に記載の基地局。
【請求項２２】
前記確定部は、複数の繰り返しモードの中から繰り返しモードを１つ選択し、選択した繰り返しモードと、選択した繰り返しモードに対応するスクランブリング系列又はスケジューリング情報とを利用して、前記上りリンクデータを検出し、前記上りリンクデータの検出に成功すると、選択した繰り返しモードを前記上りリンクデータの繰り返しモードとして確定するように配置される、請求項１９又は請求項２０に記載の基地局。
【請求項２３】
前記確定部は、複数の繰り返しモードの中から繰り返しモードを１つ選択し、選択した繰り返しモードを利用して、前記上りリンクデータを検出し、前記上りリンクデータの検出に成功すると、前記上りリンクデータで指示される繰り返しモードを前記上りリンクデータの繰り返しモードとして確定するように配置される、請求項１９又は請求項２０に記載の基地局。
【請求項２４】
前記確定部は、複数の繰り返しモードの中から繰り返しモードを１つ選択し、選択した繰り返しモードを利用して、前記上りリンクデータと多重化された制御情報を検出し、前記制御情報の検出に成功すると、前記制御情報で指示される繰り返しモードを前記上りリンクデータの繰り返しモードとして確定するように配置される、請求項１９又は請求項２０に記載の基地局。
【発明の詳細な説明】
【技術分野】
【０００１】
本開示は、ハイブリッド自動再送要求（ＨＡＲＱ）に関し、具体的には、上りリンクデータの繰り返しモードを通知する方法、上りリンクデータの繰り返しモードを確定する方法、ユーザ装置、および基地局に関する。
【背景技術】
【０００２】
５Ｇネットワークに基づくマッシブ機器間通信（ｍＭＴＣ）システムでは、ＩｏＴ装置（ユーザ装置）が上りリンクデータを送信するように基地局に接続されている。従来、上りリンクを送信する前に、ＵＥはスケジューリングリクエストを基地局に送信し、基地局は、上りリンクデータに割り当てられるリソース、およびその上りリンクデータが使用すべき変調符号化方式（ＭＣＳ）とフォーマットを通知するように、その要求に応答して上りリンクグラント（ＵＬ  Ｇｒａｎｔ）をＵＥに送信する。セル内にＵＥが多数存在する場合、基地局は、多量の上りリンクグラントを送信する必要があり、その結果、基地局の負荷および制御シグナリングのオーバーヘッドが顕著に増大する。
【０００３】
この問題を解決するために、グラントフリー（Ｇｒａｎｔ−ｆｒｅｅ）スケジューリングが提案されている。具体的には、１グループのＵＥに対して、１グループのリソースと１グループのスケジューリング情報（ＭＣＳ、フォーマットなどを指示する）が予め設定されている。当該グループのＵＥのうちあるＵＥが上りリンクデータを送信しようとする場合、このＵＥは、スケジューリングリクエストの送信と上りリンクグラントの受信をすることなく、予め設定されたスケジューリング情報およびリソースから、ランダムにスケジューリング情報およびリソースを選択して上りリンクデータを送信する。
【０００４】
また、ＵＥと基地局との間のチャネル品質が良くない場合、基地局に上りリンクデータを正確に受信させるために、ＵＥはそのデータを複数回繰り返して送信することができる。基地局は、上りリンクデータの受信状態に応じて、ハイブリッド自動再送要求（ＨＡＲＱ）フィードバックを行う。具体的には、基地局は、繰り返して送信された上りリンクデータを検出し、上りリンクデータの送信が終了した時刻を参照時刻とし、この参照時刻後のある時刻（ＨＡＲＱ時刻）に上りリンクデータに対するフィードバック情報をＵＥに送信する。前記フィードバック情報は、例えば上りリンクデータの受信に成功したことを示す肯定確認（ＡＣＫ）、または上りリンクデータの受信に成功しなかったことを示す否定確認（ＮＡＣＫ）である。ＨＡＲＱ時刻の参照時刻に対するオフセットが予め定められている。
【０００５】
ｍＭＴＣシステムでは、ある周波数リソースに対して、選択用に複数の繰り返し回数があり、例えば４回および８回である。ＵＥは、当該ＵＥと基地局との間のチャネル品質などに応じて、繰り返し回数を１つ選択して上りリンクデータを送信することができる。
【発明の概要】
【発明が解決しようとする課題】
【０００６】
しかしながら、基地局がＵＥによって選択された繰り返し回数を知らないので、基地局によって確定されたＨＡＲＱ時刻が、ＵＥが予想したＨＡＲＱ時刻と一致しない場合がある。例えば、ＨＡＲＱ時刻の参照時刻に対するオフセットが４であり、すなわち、上りリンクデータ送信が終了した時刻後の４番目のサブフレームでＨＡＲＱフィードバック情報が送信され、ＵＥが繰り返し回数８を選択したので、参照時刻が８番目のサブフレームであり、ＵＥが予想したＨＡＲＱ時刻が１２番目のサブフレームである。基地局がＵＥによって選択された繰り返し回数を知らないので、基地局は最初に繰り返し回数４を選択して、４つのサブフレームを受信して組み合わせることによって、復号化を試みる。上りリンクデータが繰り返して送信されるので、基地局は、組み合わせられた４つのサブフレームの復号化に成功して、上りリンクデータを検出する可能性がある。復号化に成功したので、基地局は、ＵＥが繰り返し回数４を選択したと考えて、４番目のサブフレームを参照時刻と確定し、８番目のサブフレームをＨＡＲＱ時刻と確定する。これはＵＥが予想したＨＡＲＱ時刻と一致しない。この不一致は不必要な再送を引き起こす可能性があり、それによってスペクトル効率が低下し、システムの電力消費が増加されてしまう。
【課題を解決するための手段】
【０００７】
本開示の一実施例によれば、複数の繰り返しモードの中の１つを上りリンクデータの繰り返しモードとして選択することと、選択された繰り返しモードを前記上りリンクデータで明示的または暗黙的に基地局に通知することと、を含む上りリンクデータの繰り返しモードを通知する方法が提供される。
【０００８】
本開示の別の一実施例によれば、上りリンクデータを受信することと、前記上りリンクデータに含まれる情報または前記上りリンクデータの送信モードに応じて、前記上りリンクデータの繰り返しモードを確定することと、を含む上りリンクデータの繰り返しモードを確定する方法が提供される。
【０００９】
本開示の別の一実施例によれば、複数の繰り返しモードの中の１つを上りリンクデータの繰り返しモードとして選択するように配置される選択部と、選択された繰り返しモードを前記上りリンクデータで明示的または暗黙的に基地局に通知するように配置される通知部と、を含むユーザ装置が提供される。
【００１０】
本開示の別の一実施例によれば、上りリンクデータを受信するように配置される受信部と、前記上りリンクデータに含まれる情報または前記上りリンクデータの送信モードに応じて、前記上りリンクデータの繰り返しモードを確定するように配置される確定部と、を含む基地局が提供される。
【図面の簡単な説明】
【００１１】
本開示の実施例を図面を参照して説明することにより、本開示の上記および他の目的、特徴、および利点がさらに明らかになる。図面は、本開示の実施例に対するさらなる理解を提供し、それに明細書の一部として構成され、本開示の実施例とともに本開示を説明するためのものであり、本開示を限定するものとして構成されない。図面において、同じ参照符号は一般に同じ部品またはステップを示す。
【図１】本開示の実施例によるマッシブ機器間通信（ｍＭＴＣ）システムを適用可能な模式図である。
【図２】本開示の実施例による上りリンクデータの繰り返しモードを通知する方法のフローチャートを示す。
【図３】本開示の実施例による上りリンクデータの繰り返しモードを通知する方法の第１実施形態を示す。
【図４】本開示の実施例による上りリンクデータの繰り返しモードを通知する方法の第２実施形態を示す。
【図５】本開示の実施例による上りリンクデータの繰り返しモードを通知する方法の第３実施形態を示す。
【図６】本開示の実施例による上りリンクデータの繰り返しモードを通知する方法の第５実施形態を示す。
【図７】本開示の実施例による上りリンクデータの繰り返しモードを通知する方法の第６実施形態を示す。
【図８】本開示の実施例による上りリンクデータの繰り返しモードを確定する方法のフローチャートを示す。
【図９】本開示の実施例によるユーザ装置のブロック図を示す。
【図１０】本開示の実施例による基地局のブロック図を示す。
【発明を実施するための形態】
【００１２】
本開示の目的、技術案、および利点をより明らかにするために、以下、図面を参照しながら本開示による例示的な実施例を詳細に説明する。記載された実施例はただ本開示の実施例の一部であり、本開示の実施例の全てではないことは明らかであり、本開示はここに記載された例示的実施例によって限定されるものではないことを理解すべきである。本開示で説明された本開示の実施例に基づいて、当業者は創造的な労働を払わなくて得られたすべての他の実施例が本公開の保護範囲内に入るべきである。
【００１３】
図１は、本開示の実施例によるｍＭＴＣシステムを適用可能な模式図を示す。図１に示すように、当該システムは、基地局１０とユーザ装置（ＵＥ）２０とを含む。ユーザ装置２０と基地局１０が上りリンク同期化を実現した後、ユーザ装置２０は、両方が知る時刻に上りリンクデータを基地局１０に送信し、基地局１０は当該上りリンクデータを受信し、ＨＡＲＱフィードバックを行う。上述したように、基地局は上りリンクデータを検出し、上りリンクデータの送信が終了する時刻を参照時刻とし、当該参照時刻後のある時刻（ＨＡＲＱ時刻）に上りリンクデータに対するフィードバック情報をＵＥに送信する。前記フィードバック情報は、例えば、上りリンクデータの受信に成功したことを示す肯定確認（ＡＣＫ）、または上りリンクデータの受信に成功しなかったことを示す否定確認（ＮＡＣＫ）である。ＨＡＲＱ時刻の参照時刻に対するオフセットは予め決められており、基地局およびＵＥに予め記憶されてもよく、あるいは基地局によって確定され、様々なシグナリングでＵＥに通知されてもよい。図１ではＵＥが一つのみ示されているが、単なる例示的なものに過ぎず、ｍＭＴＣシステムでは、セル内に複数のＵＥが存在し得ることを理解すべきである。
【００１４】
ＵＥは、上りリンクデータを複数回繰り返して送信することができる。ｍＭＴＣシステムでは、ある周波数リソースに対して複数の繰り返しモードがサポートされている。ＵＥは、実際の必要に応じて、例えば、ＵＥと基地局との間のチャネル状態に応じて、複数の繰り返しモードのうち１つを選択し、当該繰り返しモードを使用して上りリンクデータを送信することができる。前記繰り返しモードは、上りリンクデータが繰り返して送信される回数を示す繰り返し回数、例えば４回または８回であってもよい。前記繰り返しモードは、例えば繰り返して送信された上りリンクデータ間の時間間隔などの、上りリンクデータを繰り返して送信する他のモードを指すものであってもよい。以下では、本開示の実施例は、繰り返し回数を繰り返しモードの例として本開示の実施例を説明するが、本開示の実施例は他の繰り返しモードにも適用可能であることを理解すべきである。
【００１５】
本開示の実施例では、基地局がＵＥによって選択された繰り返し回数を知るように、および基地局が理解したＨＡＲＱ時刻がＵＥの予想したＨＡＲＱ時刻と一致しないことを避けるように、暗黙的または明示的にＵＥにより選択された繰り返し回数を基地局に通知することができる。
【００１６】
次に、本開示の実施例による上りリンクデータの繰り返し回数を通知する方法、上りリンクデータの繰り返し回数を確定する方法、および対応するＵＥと基地局について、図面を参照しながら説明する。
【００１７】
まず、図２を参照しながら、本開示の実施例に係る上りリンクデータの繰り返し回数を通知する方法について説明する。当該方法は、ＵＥによって実行され得る。
【００１８】
図２に示すように、ステップＳ２０１において、上りリンクデータの繰り返し回数として、複数の繰り返し回数うちの１つが選択される。繰り返し回数は、上述の方法で選択されることができるため、ここでは説明を重複しない。
【００１９】
次に、ステップＳ２０２において、選択された繰り返し回数が、前記上りリンクデータで、明示的または暗黙的に基地局に通知される。様々な実施形態を採用して、選択された繰り返し回数を前記上りリンクデータで明示的または暗黙的に基地局に通知できる。
【００２０】
第１の実施形態では、選択された繰り返しモードは、選択された繰り返しモードに対応する周波数で上りリンクデータを基地局に送信することで、前記上りリンクデータで暗黙的に基地局に通知され得る。
【００２１】
具体的には、各繰り返し回数が選択されたときに、当該繰り返し回数に対応する周波数で上りリンクデータが送信されるように、複数の繰り返し回数と複数の周波数との間にマッピング関係を確立することができる。当該上りリンクデータは、前記繰り返し回数だけ繰り返して送信される。例えば、図３に示すように、繰り返し回数ｍ（例えば４）が（対応する）周波数ｆ１にマッピングされ、繰り返し回数ｎ（例えば８）が（対応する）周波数ｆ２にマッピングされるように、繰り返し回数と周波数との間のマッピング関係を確立できる。このことで、ＵＥが繰り返し回数ｍを選択するとき、対応する周波数ｆ１を確定し、周波数ｆ１を用いて上りリンクデータを送信し、当該上りリンクデータがｍ回繰り返して送信される。ＵＥが繰り返し回数ｎを選択するとき、対応する周波数ｆ２を確定、周波数ｆ２を用いて上りリンクデータを送信し、当該上りリンクデータがｎ回繰り返して送信される。このことで、基地局は、上りリンクデータの送信周波数を確定することにより、上りリンクデータの繰り返し回数を確定することができる。このような実施形態では、繰り返し回数と周波数との間のマッピング関係は、ＵＥおよび基地局に予め記憶されていてもよく、または基地局によって確定され、システム情報ブロック（ＳＩＢ）ようなシグナリングによってＵＥに報知または通知されてもよい。
【００２２】
第２の実施形態では、選択された繰り返しモードに対応する時間で上りリンクデータを基地局に送信することで、選択された繰り返しモードを前記上りリンクデータによって暗黙的に基地局に通知することができる。
【００２３】
具体的には、各繰り返し回数が選択されるとき、当該繰り返し回数に対応する時間（例えばサブフレーム）で上りリンクデータが送信されるように、複数の繰り返し回数と時間（例えばサブフレーム）との間でマッピング関係を確立し得る。当該上りリンクデータは、前記繰り返し回数だけ繰り返して送信される。例えば、繰り返し回数ｍ（例えば４）が（対応する）第１のグループのサブフレームにマッピングされ、繰り返し回数ｎ（例えば８）が（対応する）第２のグループのサブフレームにマッピングされるように、繰り返し回数とサブフレームとの間のマッピング関係を確立し得る。ここで、第１のグループのサブフレームはｍ個のサブフレームを含み、第２のグループのサブフレームはｎ個のサブフレームを含む。このことで、図４に示すように、ＵＥが繰り返し回数ｍを選択するとき、前記マッピング関係に応じて第１のグループのサブフレームを確定し、第１のグループのサブフレームを用いて上りリンクデータを送信し、当該上りリンクデータはｍ回繰り返して送信される。ＵＥが繰り返し回数ｎを選択するとき、前記マッピング関係に応じて第２のグループのサブフレームを確定し、第２のグループのサブフレームを用いて上りリンクデータを送信し、当該上りリンクデータは、ｎ回繰り返して送信される。それに対して、基地局は、前記上りリンクデータの送信時間（サブフレーム）に応じて、ＵＥが採用する繰り返し回数を確定することができる。
【００２４】
一例では、繰り返し回数と上りリンクデータの送信時間（サブフレーム）との間のマッピング関係は、フレームのフレーム番号（ＦＮ）とそのフレームに含まれるサブフレームのサブフレーム番号（ＳＦＮ）とを利用して確立され得る。具体的には、以下の式（１）により、繰り返し回数（ｍとする）毎に上りリンクデータが送信される時間（サブフレーム）の開始時間（開始サブフレーム）を確定することができる。これにより、当該開始サブフレームおよび当該開始サブフレーム後のｍ−１個のサブフレームを、当該繰り返し回数で上りリンクデータが送信される時間（サブフレーム）として確定することができる。
【数１】
2019525670.tif 000003
式（１）において、Ｔは、必要に応じて設定される時間長（サブフレーム数で表せる）であり、前記開始サブフレームの位置を確定するタイムウィンドウを表す。例えば、Ｔを、複数の繰り返し回数うちの２つ以上の合計またはその倍数に設定することができる。例えば、４と８の２つの繰り返し回数が存在する場合、Ｔを１２または２４に設定することができる。ここで限定しなく、Ｔを他の値より大きくなるように設定することも可能である。Ｏｆｆｓｅｔは、各繰り返し回数に対して設定されるオフセットであり、例えば０、４、８、または任意の他の値である。異なる繰り返し回数に対して設定されるオフセットは異なってもよい。ＴおよびＯｆｆｓｅｔは、ＵＥおよび基地局に予め設定されてもよく、または基地局によって予め設定され、ＳＩＢなどのシグナリングによってＵＥに報知または通知されてもよい。なお、ＴとＯｆｆｓｅｔは、各繰り返し回数に確定される送信サブフレームが重ならないように設定されるべきである。即ち、異なる繰り返し回数で送信される上りリンクデータのサブフレームが同一のサブフレームを含まないように設定されるべきである。
【００２５】
理解を容易にするために、２つの繰り返し回数４および８が存在する例を用いて説明する。この例では、Ｔが１２に設定されているとする。繰り返し回数８に対して、Ｏｆｆｓｅｔを０に設定できる。このとき、フレーム番号が１であるフレームの中で、少なくともＳＦＮが２であるサブフレームが、上記式（１）を満たす。したがって、フレーム番号が１であるフレームの中でＳＦＮが２であるサブフレームを、繰り返し回数８で上りリンクデータが送信される開始サブフレームとして確定でき、当該開始サブフレームおよび後続の７サブフレームを、繰り返し回数８で上りリンクデータが送信されるサブフレームとして確定できる。このように、基地局側では、受信した上りリンクデータが、フレーム番号が１であるフレームの中でＳＦＮが２であるサブフレームから始まる８サブフレームに位置すると確定したとき、選択された繰り返し回数が８であると確定することができる。この場合、繰り返し回数８で上りリンクデータが送信されるサブフレーム以外のサブフレームを、繰り返し回数４で上りリンクデータが送信されるサブフレームとして確定され得る。これに代わって、繰り返し回数４に対して、Ｏｆｆｓｅｔを８に設定できる。このとき、フレーム番号が１であるフレームの中で少なくともＳＦＮが１０であるサブフレームが、上式を満たす。したがって、フレーム番号が１であるフレームの中でＳＦＮが１０であるサブフレームを、繰り返し回数４で上りリンクデータが送信される開始サブフレームとして確定でき、当該開始サブフレームと後続の３サブフレームを、繰り返し回数４で上りリンクデータが送信されるサブフレームとして確定できる。この場合、繰り返し回数４で上りリンクデータが送信されるサブフレーム以外のサブフレームを、繰り返し回数８で上りリンクデータが送信されるサブフレームとして確定することができる。
【００２６】
第３の実施態様では、選択された繰り返しモードに対応するスクランブリング系列を利用して前記上りリンクデータを生成し、前記上りリンクデータを基地局に送信することによって、選択された繰り返しモードを前記上りリンクデータによって暗黙的に基地局に通知することができる。
【００２７】
具体的には、スクランブリング系列を生成するとき、選択された繰り返し回数に対応するパラメータ（すなわち、当該繰り返し回数に固有のパラメータ）を用いることができるため、生成されたスクランブリング系列も当該繰り返し回数に固有となる。すなわち、他の繰り返し回数に固有のパラメータを使用して生成されたスクランブリング系列とは異なる。このように、ＵＥが繰り返し回数ｍを選択するとき、繰り返し回数ｍに固有のパラメータを利用して繰り返し回数ｍに対応するスクランブリング系列を生成し、当該スクランブリング系列を利用して送信しようとするデータに対してスクランブリングして前記上りリンクデータを生成することができる。ＵＥが繰り返し回数ｎを選択するとき、繰り返し回数ｎに固有のパラメータを利用して繰り返し回数ｎに対応するスクランブリング系列を生成し、当該スクランブリング系列を利用して、送信しようとするデータに対してスクランブリングして前記上りリンクデータを生成することができる。そして、当該上りリンクデータが前記繰り返し回数で繰り返して基地局へ送信される。これに対して、基地局は、ＵＥが使用するスクランブリング系列を確定することで、選択された繰り返し回数を確定することができる。各繰り返し回数に固有のパラメータは、ＵＥおよび基地局に予め設定されてもよく、または基地局によって設定され、ＳＩＢなどの信号によってＵＥに報知または通知されてもよい。
【００２８】
一例では、各繰り返し回数について、当該繰り返し回数に固有のスクランブリング系列ｃ（ｎ）が擬似ランダム系列に基づいて下式（２）に従って生成され得る。
【数２】
2019525670.tif 000004
式（４）において、ＮＣｅｌｌＩＤはセルＩＤ、ｎｓはスロット番号、ｎrepetitionは繰り返し回数に固有のパラメータであり、例えばｎrepetitionは当該繰り返し回数に等しくてもよく、当該繰り返し回数に応じて確定された何らかの当該繰り返し回数に固有の値を有してもよい。これにより分かるように、スクランブリング系列を生成する際に、選択された繰り返し回数に固有のパラメータが使用されたため、生成されたスクランブリング系列も選択された繰り返し回数に固有となり、他の繰り返し回数に固有のパラメータを用いて生成したスクランブリング系列とは異なる。
【００２９】
第４の実施態様では、選択された繰り返しモードに対応するスケジューリング情報を利用して前記上りリンクデータを生成し、前記上りリンクデータを基地局に送信することで、選択された繰り返しモードを前記上りリンクデータで暗黙的に基地局に通知することができる。
【００３０】
具体的には、上述したように、ｍＭＴＣシステムでは１グループのスケジューリング情報が予め設定されており、各スケジューリング情報は、例えば、上りリンクデータに使用可能なＭＣＳおよびデータフォーマットを指示可能である。ＵＥが各繰り返し回数を選択するときに、当該繰り返し回数に対応するスケジューリング情報を利用して上りリンクデータを生成するように、複数の繰り返し回数とこのグループのスケジューリング情報との間にマッピング関係を確立してもよい。そして、当該上りリンクデータは前記繰り返し回数で基地局へ繰り返して送信される。例えば、ＵＥが繰り返し回数ｍを選択するとき、繰り返し回数ｍに対応するスケジューリング情報が確定され、当該スケジューリング情報を利用して前記上りリンクデータが生成され得る。そして、当該上りリンクデータがｍ回繰り返して基地局へ送信される。ＵＥが繰り返し回数ｎを選択するとき、繰り返し回数ｎに対応するスケジューリング情報が確定され、当該スケジューリング情報を利用して前記上りリンクデータが生成され得る。そして、当該上りリンクデータがｎ回繰り返して基地局に送信される。例えば、ＵＥが繰り返し回数ｍを選択するとき、繰り返し回数ｍに対応するＭＣＳ０を利用して前記上りリンクデータを生成し、ＵＥが繰り返し回数ｎを選択するとき、繰り返し回数ｎに対応するＭＣＳ１を利用して前記上りリンクデータを生成するように、スケジューリング情報の例としてのＭＣＳと各繰り返し回数との間にマッピング関係を確立し得る。これに対して、基地局は、前記上りリンクデータの生成に使用されるスケジューリング情報（例えば、ＭＣＳ）を確定することで、ＵＥが選択した繰り返し回数を確定することができる。スケジューリング情報と繰り返し回数との間のマッピング関係は、ＵＥおよび基地局に予め設定されてもよく、または基地局によって設定され、ＳＩＢなどの信号でＵＥに報知または通知されてもよい。
【００３１】
第５の実施形態では、選択した繰り返しモードを指示する情報を含む上りリンクデータを生成し、前記上りリンクデータを基地局に送信することで、選択した繰り返しモードを前記上りリンクデータで基地局に明示的に送信することができる。
【００３２】
具体的には、メディアアクセスコントロール（ＭＡＣ）レイヤにおいて、上位レイヤ（例えば、パケットデータコンバージェンス（ＰＤＣＰ）レイヤ）から伝送された送信しようとするデータが受信、処理され（例えば、分割および／または連結）、そして処理されたデータにＭＡＣヘッダが追加されて上りリンクデータが生成される。そして、当該上りリンクデータは、物理レイヤを介して前記繰り返し回数で繰り返して基地局に送信される。図６に示すように、本開示の実施例では、選択した繰り返し回数を指示する情報を含む制御エレメント（またはフィールド）を定義し、ＭＡＣレイヤで当該制御エレメントを処理されたデータと多重化し、そして多重化されたデータにＭＡＣヘッダを追加して、選択した繰り返し回数を指示する情報を含む上りリンクデータを生成することができる。これに代わって、前記制御エレメントをＭＡＣヘッダに追加し、当該ＭＡＣヘッダを処理されたデータに追加して、選択した繰り返し回数を指示する情報を含む上りリンクデータを生成することができる。このように、基地局は、ＭＡＣレイヤで上りリンクデータを検出し、上りリンクデータ中の制御エレメントを抽出して、選択された繰り返しの回数を確定することができる。ここで、ＭＡＣレイヤを例として、選択した繰り返し回数を指示する情報を追加する位置について説明したが、単なる例示的なものに過ぎず、最後に生成された上りリンクデータが前記情報を含む限り、ＭＡＣレイヤ以外のほかのレイヤ（例えばＭＡＣレイヤより上位レイヤ）で前記情報を追加してもよいということは認識されるべきである。
【００３３】
第６の実施形態では、前記上りリンクデータを、選択した繰り返しモードを指示する情報を含む制御情報と多重化して基地局に送信することで、選択した繰り返しモードを上りリンクデータで明示的に基地局に通知することができる。
【００３４】
具体的には、選択した繰り返し回数を指示する指示情報を定義し、物理レイヤで前記制御情報を前記上りリンクデータと多重化して、多重化されたデータを生成することができる。例えば、前記指示情報を、前記上りリンクデータと時分割多重化または周波数分割多重化することができる。図７は、前記指示情報を前記上りリンクデータと時分割多重化する例を示している。そして、選択した繰り返し回数に応じて、前記多重化されたデータを基地局に繰り返して送信することができる。このように、基地局は、上りリンクデータを検出し、上りリンクデータ中の指示情報を抽出して、選択された繰り返し回数を確定することができる。
【００３５】
上記の方法を利用して、ＵＥは、上りリンクデータの繰り返しモードを明示的または暗黙的に基地局に通知することができる。なお、ＵＥと基地局が予め合意しておく限り、ＵＥは必要に応じて上述の様々な実施形態うちのいずれか１つを採用することができる。
【００３６】
以下、図８に基づいて、本開示の実施例による上りリンクデータの繰り返しモードを確定する方法について説明する。当該方法は基地局によって実行可能である。同様に、ここで繰り返し回数を繰り返しモードの例として説明するが、単なる例示的なものに過ぎず、同様に、以下の説明は他の繰り返しモードにも適用可能である。
【００３７】
図８に示すように、ステップＳ８０１において、上りリンクデータを受信する。基地局は、本技術分野での公知の方法で上りリンクデータを受信でき、ここでは説明を重複しない。
【００３８】
次に、ステップＳ８０２において、前記上りリンクデータに含まれる情報または前記上りリンクデータの送信モードに応じて、前記上りリンクデータの繰り返し回数を確定する。ステップＳ２０２では、選択された繰り返し回数を複数の実施形態によって通知できるため、ステップＳ８０２では、対応する複数の実施形態を用いて上りリンクデータの繰り返し回数を確定することができる。
【００３９】
ステップＳ２０２を参照して説明した第１の実施態様では、上りリンクデータが、選択された繰り返し回数に対応する周波数で基地局に送信されることで、選択された繰り返し回数が前記上りリンクデータで暗黙的に基地局に通知される。これに対して、ステップＳ８０２において、前記上りリンクデータの送信周波数に対応する繰り返し回数を、前記上りリンクデータの繰り返し回数として確定することができる。
【００４０】
具体的には、上りリンクデータの送信周波数を確定し、各繰り返し回数と、異なる送信周波数とのマッピング関係に応じて、前記送信周波数に対応する繰り返し回数を前記上りリンクデータの繰り返し回数として確定することができる。そして、前記繰り返し回数分の上りリンクデータを受信した時刻に、前記繰り返し回数分の上りリンクデータを組み合わせ、組み合わせたデータをブラインド復号化して上りリンクデータを検出することができる。例えば、図３に示す例において、ステップＳ８０２において、上りリンクの送信周波数がｆ１であると確定したとき、ｍ個の上りリンクサブフレームを受信した時刻に、受信したｍ個のサブフレームを組み合わせてブラインド復号化することで、上りリンクサブフレームを検出することができる。
【００４１】
ステップＳ２０２を参照して説明した第２の実施形態では、選択した繰り返し回数に対応する時間で上りリンクデータを基地局に送信することで、選択した繰り返し回数を前記上りリンクデータで暗黙的に基地局に通知する。これに対して、ステップＳ８０２において、前記上りリンクデータの送信時間に対応する繰り返し回数を前記上りリンクデータの繰り返し回数として確定することができる。
【００４２】
具体的には、ステップＳ８０２において、上りリンクデータの送信時間を確定し、各繰り返し回数と対応する送信時間とのマッピング関係に応じて、前記送信周波数に対応する繰り返し回数を前記上りリンクデータの繰り返し回数として確定することができる。そして、前記繰り返し回数分の上りリンクデータを受信した時刻で、前記繰り返し回数分の上りリンクデータを組み合わせ、組み合わせされたデータに対してブラインド復号化することで、上りリンクデータを検出することができる。
【００４３】
より具体的には、各繰り返し回数（説明の便宜上、ｍと表記）に対して、上述のステップＳ２０２について説明した方法に従って、例えば式（２）に基づいて、当該繰り返し回数で上りリンクデータが送信される送信時間を確定して、各繰り返し回数と当該繰り返し回数に対応する送信時間との間のマッピング関係を確立し、当該マッピング関係を基地局に予め記憶しておくことができる。ステップＳ８０２において、受信された上りリンクデータの送信時間を確定し、そして、前記マッピング関係に応じて、受信された上りリンクデータの送信時間がある繰り返し回数に対応する送信時間に属するか否かを確定することができる。受信された上りリンクデータの送信時間がある繰り返し回数に対応する送信時間に属すると、当該繰り返し回数を受信された上りリンクデータの繰り返し回数として確定することができる。そして、当該繰り返し回数分の上りリンクデータを受信した時刻に、受信した上りリンクデータを組み合わせてブラインド復号化することで、上りリンクサブフレームを検出することができる。
【００４４】
ステップＳ２０２を参照して説明した第３の実施態様では、選択した繰り返し回数に対応するスクランブリング系列を利用して前記上りリンクデータを生成し、前記上りリンクデータを基地局に送信することで、選択した繰り返し回数を前記上りリンクデータで暗黙的に基地局に通知する。これに対して、ステップＳ８０２において、受信された上りリンクデータに使用されたスクランブリング系列を確定して、当該上りリンクデータの繰り返し回数を確定することができる。
【００４５】
具体的には、ステップＳ８０２において、前記複数の繰り返し回数の中から繰り返し回数を１つ選択し、選択した繰り返し回数と選択した繰り返し回数に対応するスクランブリング系列とを利用して前記上りリンクデータを検出することができる。前記上りリンクデータの検出に成功すると、選択された繰り返し回数を前記上りリンクデータの繰り返し回数として確定する。
【００４６】
より具体的には、各繰り返し回数に対して、当該繰り返し回数に対応するパラメータ（すなわち、当該繰り返し回数に固有のパラメータ）を用い、ＵＥと同じ方式でスクランブリング系列を生成することができる。例えば、上記の式（２）に従ってスクランブリング系列を生成することができる。上述したように、各繰り返し回数に固有のパラメータは、ＵＥおよび基地局に予め設定されていてもよく、または基地局によって設定されてもよい。ステップＳ８０２において、前記複数の繰り返し回数の中から繰り返し回数を１つ選択し、選択した繰り返し回数分の上りリンクデータを受信した時刻に、選択した繰り返し回数に対応するスクランブリング系列を利用して、選択した繰り返し回数分の上りリンクデータを組み合わせて得られた組み合わせデータを復号化することで、上りリンクデータの検出を試みることができる。上りリンクデータの検出に成功すると、選択された繰り返し回数が正しいということであるので、選択した繰り返し回数を前記上りリンクデータの繰り返し回数として確定することができる。一方、上りリンクデータが検出されなかった場合、前記複数の繰り返し回数の中から他の繰り返し回数を１つ選択し、選択した繰り返し回数分の上りリンクデータを受信した時刻に、選択した繰り返し回数に対応するスクランブリング系列を利用して、選択した繰り返し回数分の上りリンクデータを組み合わせて得られた組み合わせデータを復号化することで、上りリンクデータの検出を試みることができる。上りリンクデータの検出に成功するまで、上記の選択および復号化の試行を繰り返して、上りリンクデータの検出に成功したことに対応する繰り返し回数を上りリンクデータの繰り返し回数として確定する。この実施形態では、検出された上りリンクデータが、ＵＥによって送信された上りリンクデータである。
【００４７】
ステップＳ２０２を参照して説明した第４の実施形態では、選択した繰り返しモードに対応するスケジューリング情報を利用して前記上りリンクデータを生成し、前記上りリンクデータを基地局に送信することで、選択した繰り返しモードを前記上りリンクデータで暗黙的に基地局に通知する。これに対して、ステップＳ８０２において、受信された上りリンクデータに使用されるスケジューリング情報を確定することで、当該上りリンクデータの繰り返し回数を確定することができる。
【００４８】
具体的には、ステップＳ８０２において、前記複数の繰り返し回数の中から繰り返し回数を１つ選択し、選択した繰り返し回数と選択した繰り返し回数に対応するスケジューリング情報とを利用して、前記上りリンクデータを検出することができる。前記上りリンクデータの検出に成功すると、選択した繰り返し回数を前記上りリンクデータの繰り返し回数として確定する。
【００４９】
より具体的には、上述したように、１グループのスケジューリング情報がｍＭＴＣシステムにおいて予め設定されており、各スケジューリング情報は、例えば、上りリンクデータに使用可能なＭＣＳおよびデータフォーマットなどを指示することができる。マッピング関係は、複数の繰り返し回数とこの組のスケジューリング情報との間に確立されてもよく、当該マッピング関係は、ＵＥおよび基地局において予め設定されていてもよく、または基地局によって設定され、ＳＩＢなどの信号によってＵＥに報知または通知されてもよい。ステップＳ８０２において、前記複数の繰り返し回数の中から繰り返し回数を１つ選択し、選択した繰り返し回数分の上りリンクデータを受信した時刻に、選択した繰り返し回数に対応するスケジュール情報（例えば、ＭＣＳ）を利用して、選択した繰り返し回数分の上りリンクデータを組み合わせて得られた組み合わせデータをブラインド復号化することで、上りリンクデータの検出を試みることができる。上りリンクデータの検出に成功すると、選択した繰り返し回数が正しいということであるので、選択した繰り返し回数を前記上りリンクデータの繰り返し回数として確定することができる。一方、上りリンクデータが検出されなかった場合、前記複数の繰り返し回数の中から他の繰り返し回数を１つ選択し、選択した繰り返し回数分の上りリンクデータを受信した時刻に、選択された繰り返し回数に対応するスケジューリング情報（例えば、ＭＣＳ）を利用して、選択した繰り返し回数分の上りリンクデータを組み合わせて得られた組み合わせデータをブラインド復号化することで、上りリンクデータの検出を試みることができる。上りリンクデータの検出に成功するまで、上記の選択および復号化の試行を繰り返して、上りリンクデータの検出に成功したことに対応する繰り返し回数を上りリンクデータの繰り返し回数として確定する。このような実施形態では、検出された上りリンクデータが、ＵＥによって送信された上りリンクデータである。
【００５０】
ステップＳ２０２を参照して説明した第５の実施態様では、選択した繰り返し回数を指示する情報を含む上りリンクデータを生成し、前記上りリンクデータを基地局に送信することで、選択した繰り返し回数を、前記上りリンクデータで基地局に明示的に通知する。これに対して、ステップＳ８０２において、受信された上りリンクデータからＵＥによって選択された繰り返し回数を指示する情報を抽出することで、前記上りリンクデータの繰り返し回数を確定することができる。
【００５１】
具体的には、ステップＳ８０２において、複数の繰り返し回数の中から繰り返し回数を１つ選択し、選択した繰り返し回数を利用して前記上りリンクデータを検出することができる。前記上りリンクデータの検出に成功すると、前記上りリンクデータから前記情報を抽出し、前記情報が指示する繰り返し回数を前記上りリンクデータの繰り返し回数として確定する。
【００５２】
より具体的には、ステップＳ８０２において、前記複数の繰り返し回数の中から繰り返し回数を１つ選択し、選択した繰り返し回数分の上りリンクデータを受信した時刻に、選択された繰り返し回数分の上りリンクデータを組み合わせて得られた組み合わせデータをブラインド復号化することで、上りリンクデータの検出を試みることができる。上りリンクデータの検出に成功すると、前記上りリンクデータから前記情報を抽出し、前記情報が指示する繰り返し回数を前記上りリンクデータの繰り返し回数として確定する。一方、上りリンクデータが検出されなかった場合、前記複数の繰り返し回数の中から他の繰り返し回数を１つ選択し、選択した繰り返し回数分の上りリンクデータを受信した時刻に、選択された繰り返し回数分の上りリンクデータを組み合わせて得られた組み合わせデータをブラインド復号化することで、上りリンクデータの検出を試みることができる。上りリンクデータの検出に成功するまで、上記の選択および復号化の試行を繰り返して、前記上りリンクデータから前記情報を抽出して、前記情報が指示する繰り返し回数を前記上りリンクデータの繰り返し回数として確定する。そして、前記情報が指示する繰り返し回数分の上りリンクデータを受信した時刻に、受信した上りリンクデータを組み合わせてブラインド復号化することで、上りリンクサブフレームを検出することができる。もちろん、ある場合には、前記繰り返し回数を確定する際に選択した繰り返し回数は、前記情報によって指示される繰り返し回数と同じであるので、前記繰り返し回数を確定する際に検出された上りリンクデータは、ＵＥによって送信された上りリンクデータである。
【００５３】
ステップＳ２０２を参照して説明した第６の実施形態では、前記上りリンクデータを、選択した繰り返し回数を指示する情報を含む制御情報とを多重化して基地局に送信することで、選択した繰り返し回数を前記上りリンクデータで基地局に明示的に通知する。これに対して、ステップＳ８０２において、前記上りリンクデータと多重化された制御情報を検出することによって、前記上りリンクデータの繰り返し回数を確定することができる。
【００５４】
具体的には、ステップＳ８０２において、複数の繰り返し回数の中から繰り返し回数を１つ選択し、選択した繰り返し回数を利用して前記上りリンクデータと多重された制御情報を検出することができる。前記制御情報の検出に成功すると、前記制御情報が指示する繰り返し回数を前記上りリンクデータの繰り返し回数として確定する。
【００５５】
より具体的には、ステップＳ８０２において、前記複数の繰り返し回数の中から繰り返し回数を１つ選択し、選択した繰り返し回数分の上りリンクデータを受信した時刻に、上りリンクデータと多重化された制御情報を抽出し、抽出された制御情報を組み合わせ、組み合わせされた制御情報をブラインド復号化することで、前記制御情報の検出を試みることができる。前記制御情報の検出に成功すると、前記制御情報が指示する繰り返し回数を前記上りリンクデータの繰り返し回数として確定する。一方、制御情報が検出されなかった場合、前記複数の繰り返し回数の中から他の繰り返し回数を１つ選択し、選択した繰り返し回数分の上りリンクデータを受信した時刻に、上りリンクデータと多重化された制御データを抽出し、抽出した制御データを組み合わせ、組み合わせされた制御情報をブラインド復号化することで、前記制御情報の検出を試みることができる。制御情報の検出に成功するまで、上記の選択および復号化の試行を繰り返して、前記制御情報によって指示される繰り返し回数を前記上りリンクデータの繰り返し回数として確定する。そして、前記制御情報によって指示される繰り返し回数分の上りリンクデータを受信した時刻に、受信した上りリンクデータを組み合わせてブラインド復号化することで、上りリンクサブフレームを検出することができる。この実施形態では、ＵＥが前記制御情報と上りリンクデータとを多重化する方法は基地局に既知であるため、基地局は当該方法に応じて、上りリンクデータと多重化された制御情報を抽出することができる。
【００５６】
上りリンクサブフレームを検出した後、基地局は、繰り返して送信された上りリンクデータの送信が終了した時刻を参照時刻として確定し、当該参照時刻、及びＨＡＲＱ時刻の参照時刻に対する所定のオフセットに応じて、ＨＡＲＱ時刻を確定し、当該ＨＡＲＱ時刻で、上りリンクデータに対するフィードバック情報をＵＥに送信することができる。
【００５７】
上記の方法を利用すれば、ＵＥによって送信された上りリンクデータに含まれる情報または前記上りリンクデータの送信モードに応じて、前記上りリンクデータの繰り返しモードを正確に確定し、それによって前記参照時刻を正確に確定することで、当該参照時刻に応じて確定されるＨＡＲＱ時刻を、ＵＥの予想したＨＡＲＱ時刻と一致させることによって、ＵＥの予想したＨＡＲＱ時刻が基地局によって確定されるＨＡＲＱ時刻と一致しないことによるスペクトル効率の低下およびシステム電力消費の増加の問題を回避する。
【００５８】
以下、図９を参照して本開示の実施例によるＵＥについて説明する。ＵＥは、図２を参照して説明した方法を実行することができる。
図９に示すように、ＵＥ２０は、選択部２１と通知部２２とを含む。ここでは、簡易化のために、本開示に密接に関連するＵＥ内の２つの部のみが示されているが、単なる例示的なものに過ぎず、ＵＥは、必要に応じて他の部を更に含んでもよい。また、ＵＥ２０の各部によって実行される機能の詳細の一部は、上記図２を参照して説明した方法と同じであるので、ここでは簡易化のために、同じ内容について説明を省略する。
【００５９】
選択部２１は、上りリンクデータの繰り返し回数として、複数の繰り返し回数の中から１つを選択することができる。繰り返し回数は、上述の方法で選択することができるので、ここでは説明を重複しない。
【００６０】
通知部２２は、選択された繰り返し回数を前記上りリンクデータで明示的または暗黙的に基地局に通知することができる。通知部２２は、複数の実施形態を採用することで、選択された繰り返し回数を前記上りリンクデータで明示的または暗黙的に基地局に通知することができる。
【００６１】
第１の実施形態では、通知部２２は、選択された繰り返しモードに対応する周波数で上りリンクデータを基地局に送信することによって、選択された繰り返しモードを前記上りリンクデータで暗黙的に基地局に通知することができる。
【００６２】
具体的には、選択部２１が各繰り返し回数を選択するとき、通知部２２が当該繰り返し回数に対応する周波数で上りリンクデータを送信するように、上述した方式に従って複数の繰り返し回数と複数の周波数との間でマッピング関係が確立されることができる。当該上りリンクデータは、前記繰り返し回数だけ繰り返して送信される。例えば、選択部２１が繰り返し回数ｍを選択するとき、通知部２２は、対応する周波数ｆ１を確定し、周波数ｆ１を用いて上りリンクデータを送信することができる。当該上りリンクデータはｍ回繰り返して送信される。選択部２１が繰り返し回数ｎを選択するとき、通知部２２は、対応する周波数ｆ２を確定し、周波数ｆ２を用いて上りリンクデータを送信することができる。当該上りリンクデータはｎ回繰り返して送信される。この実施形態では、繰り返し回数と周波数との間のマッピング関係は、ＵＥおよび基地局に予め記憶されていてもよく、または通知部２２によって確定され、システム情報ブロック（ＳＩＢ）などのシグナリングを通じてＵＥに報知または通知されてもよい。
【００６３】
第２の実施形態では、通知部２２は、選択された繰り返しモードに対応する時間で上りリンクデータを基地局に送信することで、選択された繰り返しモードを前記上りリンクデータで暗黙的に基地局に通知することができる。
【００６４】
具体的には、上述したように、各繰り返し回数を選択するとき、当該繰り返し回数に対応する時間（例えば、サブフレーム）で上りリンクデータが送信されるように、複数の繰り返し回数と時間（例えば、サブフレーム）との間でマッピング関係が確立されることができる。当該上りリンクデータは、前記繰り返し回数だけ繰り返して送信される。例えば、繰り返し回数ｍが第１のグループのサブフレームにマッピングされ、繰り返し回数ｎが第２のグループのサブフレームにマッピングされるように、繰り返し回数とサブフレームとの間のマッピング関係が確立されることができる。ここで、第１のグループのサブフレームは、ｍ個のサブフレームを含み、第２のグループのサブフレームは、ｎ個のサブフレームを含む。このことで、選択部２１が繰り返し回数ｍを選択する場合、通知部２２は、前記マッピング関係に応じて、第１のグループのサブフレームを確定し、第１のグループのサブフレームを用いて上りリンクデータをｍ回繰り返して送信する。選択部２１が繰り返し回数ｎを選択する場合、通知部２２は、前記マッピング関係に応じて、第２のグループのサブフレームを確定し、第２のグループのサブフレームを用いて上りリンクデータをｎ回繰り返して送信する。上記した方式で、例えば、フレームのフレーム番号（ＦＮ）および当該フレームに含まれるサブフレームのサブフレーム番号（ＳＦＮ）と上記式（１）とを利用して、繰り返し回数と上りリンクデータの送信時間（サブフレーム）とのマッピング関係を確立することができる。ここでは説明を重複しない。
【００６５】
第３の実施態様では、通知部２２は、選択された繰り返しモードに対応するスクランブリング系列を利用して前記上りリンクデータを生成し、前記上りリンクデータを基地局に送信することで、選択された繰り返しモードを前記上りリンクデータで暗黙的に基地局に通知することができる。
【００６６】
具体的には、通知部２２は、スクランブリング系列を生成する際に、生成されたスクランブリング系列が選択された繰り返し回数にも固有となるように、当該繰り返し回数に対応するパラメータ（すなわち、当該繰り返し回数に固有のパラメータ）を用いることができる。すなわち、他の繰り返し回数に固有のパラメータを用いて生成したスクランブリング系列とは異なる。このことで、選択部２１が繰り返し回数ｍを選択する場合、通知部２２は、繰り返し回数ｍに固有のパラメータを利用して繰り返し回数ｍに対応するスクランブリング系列を生成し、当該スクランブリング系列を利用して、送信しようとするデータに対してスクランブリングすることによって、前記上りリンクデータを生成することができる。選択部２１が繰り返し回数ｎを選択する場合、通知部２２は、繰り返し回数ｎに固有のパラメータを利用して繰り返し回数ｎに対応するスクランブリング系列を生成し、当該スクランブリング系列を利用して、送信しようとするデータに対してスクランブリングすることで、前記上りリンクデータを生成することができる。そして、通知部２２は、当該上りリンクデータを前記繰り返し回数で繰り返して基地局に送信する。通知部２２は、上述した方式で、例えば上記式（３）を利用して、繰り返し回数に固有のパラメータを利用してスクランブリング系列を生成することができる。ここでは説明を重複しない。
【００６７】
第４の実施態様では、通知部２２は、選択された繰り返しモードに対応するスケジューリング情報を利用して前記上りリンクデータを生成し、前記上りリンクデータを基地局に送信することで、選択された繰り返しモードを前記上りリンクデータで暗黙的に基地局に通知することができる。
【００６８】
具体的には、上述したように、１グループのスケジューリング情報がｍＭＴＣシステムにおいて予め設定されており、各スケジューリング情報は、例えば、上りリンクデータに使用可能なＭＣＳおよびデータフォーマットなどを指示できる。通知部２２が、選択部２１が各繰り返し回数を選択する場合、当該繰り返し回数に対応するスケジューリング情報を利用して上りリンクデータを生成するように、複数の繰り返し回数とこのグループのスケジューリング情報との間にマッピング関係が設定されることができる。そして、通知部２２は、当該上りリンクデータを前記繰り返し回数で繰り返して基地局に送信する。例えば、選択部２１が繰り返し回数ｍを選択する場合、通知部２２は、繰り返し回数ｍに対応するスケジューリング情報を確定し、当該スケジューリング情報を利用して前記上りリンクデータを生成することができる。そして、通知部２２は当該上りリンクデータをｍ回繰り返して基地局に送信する。選択部２１が繰り返し回数ｎを選択する場合、通知部２２は、繰り返し回数ｎに対応するスケジューリング情報を確定し、当該スケジューリング情報を利用して前記上りリンクデータを生成することができる。そして、通知部２２は、当該上りリンクデータをｎ回繰り返して基地局に送信する。スケジューリング情報と繰り返し回数とのマッピング関係は、ＵＥおよび基地局に予め設定されていてもよく、通知部２２によって設定され、ＳＩＢなどの信号によってＵＥに報知または通知されてもよい。
【００６９】
第５の実施態様では、通知部２２は、選択された繰り返しモードを指示する情報を含む上りリンクデータを生成し、前記上りリンクデータを基地局に送信することで、選択された繰り返しモードを前記上りリンクデータで基地局に明示的に通知することができる。
【００７０】
具体的には、選択された繰り返し回数を指示する情報を含む制御エレメント（またはフィールド）を定義することができる。通知部２２は、ＭＡＣレイヤにおいて当該制御エレメントと処理されたデータとを多重化して、多重化されたデータにＭＡＣヘッダを追加することで、選択された繰り返し回数を指示する情報を含む上りリンクデータを生成することができる。これに代わって、通知部２２は、ＭＡＣヘッダに前記制御エレメントを追加し、当該ＭＡＣヘッダを処理されたデータに追加することで、選択された繰り返し回数を指示する情報を含む上りリンクデータを生成することができる。ここで、選択された繰り返し回数を指示する情報を追加する位置についてＭＡＣレイヤを例として説明したが、単なる例示的なものに過ぎず、最後に生成する上りリンクデータに前記情報が含まれれば、ＭＡＣレイヤ以外の他のレイヤ（例えば、ＭＡＣレイヤより上位のレイヤ）で前記情報を追加してもよいことは認識すべきである。
【００７１】
第６の実施形態では、通知部２２は、前記上りリンクデータと、選択された繰り返しモードを指示する情報を含む制御情報とを多重化して基地局に送信することで、選択された繰り返しモードを前記上りリンクデータで基地局に明示的に通知することができる。
【００７２】
具体的には、選択された繰り返し回数を指示する指示情報を定義することができる。通知部２２は、前記制御情報と、前記上りリンクデータとを物理レイヤで多重化して多重化されたデータを生成することができる。例えば、前記指示情報を前記上りリンクデータと時分割多重化または周波数分割多重化することができる。そして、通知部２２は、選択された繰り返し回数に従って、前記多重化データを基地局に繰り返して送信することができる。
【００７３】
本開示の実施例によるＵＥは、上りリンクデータの繰り返しモードを明示的または暗黙的に基地局に通知することができるということが分かる。
【００７４】
以下、図１０を参照して本発明の実施例に係る基地局について説明する。当該基地局は、図８を参照して説明した方法を実行することができる。
【００７５】
図１０に示すように、基地局１０は、受信部１１と検出部１２とを備える。ここでは、簡易化のために、本開示に密接に関連する基地局内の２つの部のみが示されているが、単なる例示的なものに過ぎず、基地局は必要に応じて他の部を更に含んでも良い。また、基地局１０の各部が実行する機能の詳細の一部は、上記図８を参照して説明したものと同じであるため、ここでは簡易化のために、同じ内容について説明を省略する。
【００７６】
受信部１１は、上りリンクデータを受信することができる。上りリンクデータは、本技術分野の公知の方式で受信され得るため、ここでは説明を重複しない。
【００７７】
検出部１２は、前記上りリンクデータに含まれる情報または前記上りリンクデータの送信モードに応じて、前記上りリンクデータの繰り返し回数を確定することができる。ＵＥにおいて複数の実施形態を用いて、選択された繰り返し回数を通知することができるので、基地局において、上りリンクデータの繰り返し回数を、対応する複数の実施形態を用いることで確定することができる。
【００７８】
ＵＥによって採用される上記の第１の実施形態では、選択された繰り返し回数に対応する周波数で上りリンクデータを基地局に送信することで、選択された繰り返し回数を前記上りリンクデータで暗黙的に基地局に通知する。これに対して、検出部１２は、前記上りリンクデータの送信周波数に対応する繰り返し回数を、前記上りリンクデータの繰り返し回数として確定することができる。
【００７９】
具体的には、検出部１２は、上りリンクデータの送信周波数を確定して、各繰り返し回数と、異なる送信周波数とのマッピング関係に応じて、前記送信周波数に対応する繰り返し回数を、前記上りリンクデータの繰り返し回数として確定することができる。そして、検出部１２は、前記繰り返し回数分の上りリンクデータを受信した時刻に、前記繰り返し回数分の上りリンクデータを組み合わせて、組み合わせされたデータに対してブラインド復号化することで、上りリンクデータを検出することができる。
【００８０】
ＵＥによって採用される上記の第２の実施形態では、選択された繰り返し回数に対応する時間で上りリンクデータを基地局に送信することで、選択された繰り返し回数を前記上りリンクデータで暗黙的に基地局に通知する。これに対して、検出部１２は、前記上りリンクデータの送信時間に対応する繰り返し回数を、前記上りリンクデータの繰り返し回数として確定することができる。
【００８１】
具体的には、検出部１２は、上りリンクデータの送信時間を確定し、各繰り返し回数と、対応する送信時間との間のマッピング関係に応じて、前記送信周波数に対応する繰り返し回数を前記上りリンクデータの繰り返し回数として確定することができる。そして、検出部１２は、前記繰り返し回数分の上りリンクデータを受信した時刻に、前記繰り返し回数分の上りリンクデータを組み合わせて、組み合わせされたデータに対してブラインド復号化することで、上りリンクデータを検出することができる。
【００８２】
より具体的には、各繰り返し回数に対して、上記のステップＳ２０２について説明した方式に従って、例えば、式（２）に基づいて、当該繰り返し回数に従って上りリンクデータを送信する送信時間を確定することで、各繰り返し回数と、当該繰り返し回数に対応する送信時間との間のマッピング関係を確立することができ、当該マッピング関係を基地局に予め記憶しておくこともできる。検出部１２は、受信された上りリンクデータの送信時間を確定し、そして前記マッピング関係に応じて、受信された上りリンクデータの送信時間がある繰り返し回数に対応する送信時間に属するか否かを確定することができる。受信した上りリンクデータの送信時間がある繰り返し回数に対応する送信時間に属すると、当該繰り返し回数を、受信された上りリンクデータの繰り返し回数として確定することができる。そして、検出部１２は、当該繰り返し回数分の上りリンクデータが受信された時刻に、受信された上りリンクデータを組み合わせてブラインド復号化することで、上りリンクサブフレームを検出することができる。
【００８３】
ＵＥによって採用される上記の第３の実施形態では、選択された繰り返し回数に対応するスクランブリング系列を用いて前記上りリンクデータを生成し、前記上りリンクデータを基地局に送信することで、選択された繰り返し回数を前記上りリンクデータで暗黙的に基地局に通知する。これに対して、検出部１２は、受信された上りリンクデータに使用されるスクランブリング系列を確定することで、当該上りリンクデータの繰り返し回数を確定することができる。
【００８４】
具体的には、検出部１２は、前記複数の繰り返し回数の中から繰り返し回数を１つ選択し、選択した繰り返し回数と、選択した繰り返し回数に対応するスクランブリング系列とを用いて前記上りリンクデータを検出することができ、前記上りリンクデータの検出に成功すると、選択された繰り返し回数を前記上りリンクデータの繰り返し回数として確定する。
【００８５】
より具体的には、検出部１２は、各繰り返し回数に対して、当該繰り返し回数に対応するパラメータ（すなわち、繰り返し回数に固有のパラメータ）を用いて、ＵＥと同じ方式で、スクランブリング系列を生成することができる。例えば、上記の式（２）に従って、スクランブリング系列を生成することができる。上述したように、各繰り返し回数に固有のパラメータは、ＵＥおよび基地局に予め設定されていてもよく、または基地局によって設定されてもよい。検出部１２は、前記複数の繰り返し回数の中から繰り返し回数を１つ選択し、選択した繰り返し回数分の上りリンクデータを受信した時刻に、選択した繰り返し回数に対応するスクランブリング系列を用いて、選択した繰り返し回数分の上りリンクデータを組み合わせて得られた組み合わせデータを復号化することで、上りリンクデータの検出を試みることができる。上りリンクデータの検出に成功すると、選択した繰り返し回数が正しいということであるので、検出部１２は、選択した繰り返し回数を前記上りリンクデータの繰り返し回数として確定することができる。一方、上りリンクデータが検出されなかった場合、検出部１２は、前記複数の繰り返し回数の中から他の繰り返し回数を選択し、選択した繰り返し回数分の上りリンクデータを受信した時刻に、選択した繰り返し回数に対応するスクランブリング系列を利用し、選択した繰り返し回数分の上りリンクデータを組み合わせて得られた組み合わせデータを復号化することで、上りリンクデータの検出を試みることができる。検出部１２は、上りリンクデータの検出に成功するまで、上記の選択および復号化の試行の動作を繰り返し、そして上りリンクデータの検出に成功したことに対応する繰り返し回数を上りリンクデータの繰り返し回数として確定することができる。この実施形態では、検出された上りリンクデータが、ＵＥによって送信された上りリンクデータである。
【００８６】
ＵＥによって採用される第４の実施形態では、選択された繰り返しモードに対応するスケジューリング情報を利用して前記上りリンクデータを生成し、前記上りリンクデータを基地局に送信することで、選択された繰り返しモードを前記上りリンクデータで暗黙的に基地局に通知する。これに対して、検出部１２は、受信された上りリンクデータに使用されるスケジューリング情報を確定することで、当該上りリンクデータの繰り返し回数を確定することができる。
【００８７】
具体的には、検出部１２は、前記複数の繰り返し回数の中から繰り返し回数を１つ選択し、選択した繰り返し回数と、選択した繰り返し回数に対応するスケジューリング情報とを利用して前記上りリンクデータを検出することができる。前記上りリンクデータの検出に成功すると、選択した繰り返し回数を前記上りリンクデータの繰り返し回数として確定する。
【００８８】
より具体的には、上述したように、１グループのスケジューリング情報がｍＭＴＣシステムにおいて予め設定され、各スケジューリング情報は、例えば、上りリンクデータに使用可能なＭＣＳおよびデータフォーマットなどを指示可能である。マッピング関係は、複数の繰り返し回数とこのグループのスケジューリング情報との間に確立され得て、当該マッピング関係はＵＥおよび基地局において予め設定されていてもよく、または基地局によって設定され、ＳＩＢなどの信号でＵＥに報知または通知されてもよい。検出部１２は、前記複数の繰り返し回数の中から繰り返し回数を１つ選択し、選択した繰り返し回数分の上りリンクデータが受信された時刻に、選択した繰り返し回数に対応するスケジューリング情報（例えば、ＭＣＳ）を利用して、選択した繰り返し回数分の上りリンクデータを組み合わせて得られた組み合わせデータをブラインド復号化することで、上りリンクデータの検出を試みることができる。上りリンクデータの検出に成功すると、選択した繰り返し回数が正しいということであるので、検出部１２は、選択した繰り返し回数を前記上りリンクデータの繰り返し回数として確定することができる。一方、上りリンクデータが検出されなかった場合、検出部１２は、前記複数の繰り返し回数の中から他の繰り返し回数を選択し、選択した繰り返し回数分の上りリンクデータが受信された時刻に、選択した繰り返し回数に対応するスケジューリング情報（例えば、ＭＣＳ）を利用して、選択した繰り返し回数分の上りリンクデータを組み合わせて得られた組み合わせデータをブラインド復号化することで、上りリンクデータの検出を試みることができる。検出部１２は、上りリンクデータの検出に成功するまで、上記の選択および復号化の試行の動作を繰り返し、上りリンクデータの検出に成功したことに対応する繰り返し回数を上りリンクデータの繰り返し回数として確定することができる。この実施形態では、検出された上りリンクデータが、ＵＥによって送信された上りリンクデータである。
【００８９】
ＵＥによって採用される第５の実施態様では、選択された繰り返し回数を指示する情報を含む上りリンクデータを生成し、前記上りリンクデータを基地局に送信することで、選択された繰り返し回数を前記上りリンクデータで基地局に明示的に通知する。これに対して、検出部１２は、受信された上りリンクデータから、ＵＥによって選択された繰り返し回数を指示する情報を抽出することで、前記上りリンクデータの繰り返し回数を確定することができる。
【００９０】
具体的には、検出部１２は、複数の繰り返し回数の中から繰り返し回数を１つ選択し、選択した繰り返し回数を利用して前記上りリンクデータを検出することができる。前記上りリンクデータの検出に成功すると、前記上りリンクデータから前記情報を抽出して、前記情報が指示する繰り返し回数を前記上りリンクデータの繰り返し回数として確定する。
【００９１】
より具体的には、検出部１２は、前記複数の繰り返し回数の中から繰り返し回数を１つ選択し、選択した繰り返し回数分の上りリンクデータが受信された時刻に、選択した繰り返し回数分の上りリンクデータを組み合わせて得られた組み合わせデータをブラインド復号化することで、上りリンクデータの検出を試みることができる。上りリンクデータの検出に成功すると、検出部１２は、前記上りリンクデータから前記情報を抽出して、前記情報が指示する繰り返し回数を前記上りリンクデータの繰り返し回数として確定する。一方、上りリンクデータが検出されなかった場合、検出部１２は、前記複数の繰り返し回数の中から他の繰り返し回数を選択し、選択した繰り返し回数分の上りリンクデータが受信された時刻に、選択した繰り返し回数分の上りリンクデータを組み合わせて得られた組み合わせデータをブラインド復号化することで、上りリンクデータの検出を試みることができる。検出部１２は、上りリンクデータの検出に成功するまで、上記の選択および復号化の試行を繰り返し、前記上りリンクデータから前記情報を抽出して、前記情報が指示する繰り返し回数を前記上りリンクデータの繰り返し回数として確定することができる。そして、検出部１２は、前記情報が指示する繰り返し回数分の上りリンクデータが受信された時刻に、受信された上りリンクデータを組み合わせてブラインド復号化することで、上りリンクサブフレームを検出することができる。もちろん、ある場合には、前記繰り返し回数を確定するときに選択した繰り返し回数は、前記情報によって指示される繰り返し回数と同じであるので、前記繰り返し回数を確定するときに検出された上りリンクデータが、ＵＥによって送信された上りリンクデータである。
【００９２】
ＵＥによって採用される第６の実施形態では、前記上りリンクデータを、選択された繰り返し回数を指示する情報を含む制御情報と多重化して基地局に送信することで、選択された繰り返し回数を前記上りリンクデータで基地局に明示的に通知する。これに対して、検出部１２は、前記上りリンクデータと多重化された制御情報を検出して、前記上りリンクデータの繰り返し回数を確定することができる。
【００９３】
具体的には、検出部１２は、複数の繰り返し回数の中から繰り返し回数を１つ選択し、選択した繰り返し回数を利用して、前記上りリンクデータと多重された制御情報を検出することができる。前記制御情報の検出に成功すると、前記制御情報が指示する繰り返し回数を、前記上りリンクデータの繰り返し回数として確定する。
【００９４】
より具体的には、検出部１２は、前記複数の繰り返し回数の中から繰り返し回数を１つ選択し、選択した繰り返し回数分の上りリンクデータが受信された時刻に、上りリンクデータと多重化された制御情報を抽出して、抽出した制御情報を組み合わせ、組み合わせされた制御情報をブラインド復号化することで、前記制御情報の検出を試みることができる。前記制御情報の検出に成功すると、検出部１２は、前記制御情報が指示する繰り返し回数を前記上りリンクデータの繰り返し回数として確定することができる。一方、制御情報が検出されなかった場合、検出部１２は、前記複数の繰り返し回数の中から他の繰り返し回数を選択し、選択した繰り返し回数分の上りリンクデータが受信された時刻に、上りリンクデータと多重された制御情報を抽出して、抽出した制御情報を組み合わせ、組み合わせされた制御情報をブラインド復号化することで、前記制御情報の検出を試みることができる。検出部１２は、制御情報の検出に成功するまで、上記の選択および復号化の試行の動作を繰り返して、前記制御情報が指示する繰り返し回数を前記上りリンクデータの繰り返し回数として確定することができる。そして、検出部１２は、前記制御情報が指示する繰り返し回数分の上りリンクデータが受信された時刻に、受信された上りリンクデータを組み合わせてブラインド復号化することで、上りリンクサブフレームを検出することができる。この実施形態では、ＵＥが前記制御情報と上りリンクデータとを多重化する方式は、基地局に既知であるため、検出部１２は、当該方式に応じて、上りリンクデータと多重化された制御情報を抽出することができる。
【００９５】
上りリンクサブフレームが検出された後、検出部１２は、繰り返して送信された上りリンクデータの送信が終了する時刻を参照時刻とし、当該参照時刻と、ＨＡＲＱ時刻の参照時刻に対する所定のオフセットとに応じて、ＨＡＲＱ時刻を確定し、当該ＨＡＲＱ時刻に（例えば、送信部（未図示）によって）上りリンクデータに対するフィードバック情報をＵＥに送信することができる。
【００９６】
このことで、基地局は、ＵＥによって送信された上りリンクデータに含まれる情報または前記上りリンクデータの送信方式に応じて、前記上りリンクデータの繰り返しモードを正確に確定することで、前記参照時刻を正確に確定することができる。これにより、当該参照時刻によって確定されるＨＡＲＱ時刻が、ＵＥの予想したＨＡＲＱ時刻と一致し、それによって、ＵＥの予想したＨＡＲＱ時刻が基地局によって確定されるＨＡＲＱ時刻と一致しないことによるスペクトル効率の低下およびシステム電力消費の増加の問題を回避する。
【００９７】
特に、本明細書において、用語「含む」、「含んでいる」、またはその何らかの他の変形は、非排他的な「含んでいる」を包含することを意図しており、一連の要素を含むプロセス、方法、物品、または装置は、その要素だけでなく、明確に列挙されていない他の要素をさらに含み、またはこのプロセス、方法、物品または装置の固有の要素を含むようにさせる。これ以上の制限がない場合、「…を含む」という文言によって限定される要素は、前記要素を含むプロセス、方法、物品、または装置において、さらに他の同じ要素が存在することを排除するものではない。
【００９８】
最後、特に、上述した一連の処理は、ここで記載された順序で時系列に実行される処理だけでなく、時間順序で実行される処理でなく、並列的または個別に実行される処理も含む。
【００９９】
上記の実施形態の説明によって、本開示がソフトウェアと必要なハードウェアプラットフォームとの組み合わせによって実施され得ること、もちろん全てがハードウェアによって実施され得ることは、当業者にとって明らかである。このような理解に基づいて、背景技術に寄与する本開示の技術案の全部または一部は、ＲＯＭ／ＲＡＭ、磁気ディスク、光ディスクなどの記憶媒体に記憶され得るソフトウェア製品の形で体現され得て、コンピュータ装置（パーソナルコンピュータ、サーバ、またはネットワーク装置などであってもよい）に本開示の各実施例または実施例の一部で説明された方法を実行させるようにいくつかの命令が含まれる。
【０１００】
以上、本開示について詳細に説明し、本明細書で具体的な例を適用して本開示の原理および実施形態を説明した。以上の実施例の説明は、本開示の方法およびその趣旨の理解のためにのみ使用されており、当業者にとって、本開示の趣旨に応じて、具体的実施形態および適用範囲において変更形態として実施することができる。したがって、本明細書の記載は、本発明に対して何ら制限的な意味を有するものではない。
【図１】
2019525670.tif 000005
【図２】
2019525670.tif 000006
【図３】
2019525670.tif 000007
【図４】
2019525670.tif 000008
【図５】
2019525670.tif 000009
【図６】
2019525670.tif 000010
【図７】
2019525670.tif 000011
【図８】
2019525670.tif 000012
【図９】
2019525670.tif 000013
【図１０】
2019525670.tif 000014
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
複数の繰り返しモードの中の１つを上りリンクデータの繰り返しモードとして選択することと、
選択された繰り返しモードを前記上りリンクデータで明示的に基地局に送信することと、
を含む、上りリンクデータの繰り返しモードを通知する方法。
【請求項２】
前記繰り返しモードは、前記上りリンクデータの繰り返し回数を含む、請求項１に記載の方法。
【請求項３】
上りリンクデータを、選択された繰り返しモードに対応する周波数又は時間で基地局に送信することで、選択された繰り返しモードを前記上りリンクデータで暗黙的に基地局に通知する、請求項１又は請求項２に記載の方法。
【請求項４】
複数の繰り返しモードの中の１つを上りリンクデータの繰り返しモードとして選択するように配置される選択部と、
選択された繰り返しモードを、前記上りリンクデータで明示的又は暗黙的に基地局に通知するように配置される通知部と、
を含む、ユーザ装置。
【請求項５】
前記繰り返しモードは、前記上りリンクデータの繰り返し回数を含む、請求項４に記載のユーザ装置。
【請求項６】
前記通知部は、上りリンクデータを、選択された繰り返しモードに対応する周波数又は時間で基地局に送信することで、選択された繰り返しモードを前記上りリンクデータで暗黙的に基地局に通知するように配置される、請求項４又は請求項５に記載のユーザ装置。
【請求項７】
前記通知部は、選択された繰り返しモードに対応するスクランブリング系列又はスケジューリング情報を利用して前記上りリンクデータを生成し、前記上りリンクデータを基地局に送信することで、選択された繰り返しモードを前記上りリンクデータで暗黙的に基地局に通知するように配置される、請求項４又は請求項５に記載のユーザ装置。
【請求項８】
前記通知部は、選択された繰り返しモードを指示する情報を含む上りリンクデータを生成し、前記上りリンクデータを基地局に送信することで、選択された繰り返しモードを前記上りリンクデータで明示的に基地局に通知するように配置される、請求項４又は請求項５に記載のユーザ装置。
【請求項９】
前記通知部は、前記上りリンクデータを、選択された繰り返しモードを指示する情報を含む制御情報と多重化して基地局に送信することで、選択された繰り返しモードを前記上りリンクデータで明示的に基地局に通知するように配置される、請求項４又は請求項５に記載のユーザ装置。
【請求項１０】
上りリンクデータを受信するように配置される受信部と、
前記上りリンクデータに含まれる情報又は前記上りリンクデータの送信方式に応じて、前記上りリンクデータの繰り返しモードを確定するように配置される確定部と、
を含む、基地局。
【請求項１１】
前記繰り返しモードは、前記上りリンクデータの繰り返し回数を含む、請求項１０に記載の基地局。
【請求項１２】
前記上りリンクデータの送信方式は、前記上りリンクデータの送信周波数又は送信時間を含み、
前記確定部は、前記上りリンクデータの送信周波数又は送信時間に対応する繰り返しモードを前記上りリンクデータの繰り返しモードとして確定するように配置される、請求項１０又は請求項１１に記載の基地局。
【請求項１３】
前記確定部は、複数の繰り返しモードの中から繰り返しモードを１つ選択し、選択した繰り返しモードと、選択した繰り返しモードに対応するスクランブリング系列又はスケジューリング情報とを利用して、前記上りリンクデータを検出し、前記上りリンクデータの検出に成功すると、選択した繰り返しモードを前記上りリンクデータの繰り返しモードとして確定するように配置される、請求項１０又は請求項１１に記載の基地局。
【請求項１４】
前記確定部は、複数の繰り返しモードの中から繰り返しモードを１つ選択し、選択した繰り返しモードを利用して、前記上りリンクデータを検出し、前記上りリンクデータの検出に成功すると、前記上りリンクデータで指示される繰り返しモードを前記上りリンクデータの繰り返しモードとして確定するように配置される、請求項１０又は請求項１１に記載の基地局。
【請求項１５】
前記確定部は、複数の繰り返しモードの中から繰り返しモードを１つ選択し、選択した繰り返しモードを利用して、前記上りリンクデータと多重化された制御情報を検出し、前記制御情報の検出に成功すると、前記制御情報で指示される繰り返しモードを前記上りリンクデータの繰り返しモードとして確定するように配置される、請求項１０又は請求項１１に記載の基地局。
【国際調査報告】
2019525670.tif 000015
2019525670.tif 000016
2019525670.tif 000017
2019525670.tif 000018